(57)【特許請求の範囲】
【請求項１】
駐車場を管理する駐車場運営者にそれぞれ対応する複数のアプリサーバ装置と、
前記駐車場で使用される駐車システムを管理し、当該駐車システムを適用した駐車場の駐車料金の精算処理を行う駐車システム管理事業者にそれぞれ対応する複数の事業者サーバ装置と、
前記駐車場の利用者によって使用される端末装置と、
前記駐車料金の精算に用いられる画面を前記端末装置に提供する統括管理サーバ装置と
、
を用いて行う駐車場精算方法であって、
前記端末装置に表示された第１の画面を用いた前記利用者による前記端末装置の操作により精算指示が入力されると、前記利用者の車両を駐車した駐車場を識別する駐車場識別情報及び前記車両を駐車した車室を識別する車室識別情報又は車両識別情報を含む第１の駐車料金計算要求を前記統括管理サーバ装置が前記端末装置から受信する第１の工程と、
前記統括管理サーバ装置が、前記第１の工程で受信した前記第１の駐車料金計算要求に係る前記駐車場を管理する前記駐車場運営者の前記アプリサーバ装置を特定し、当該特定したアプリサーバ装置に前記第１の駐車料金計算要求に基づいた第２の駐車料金計算要求を送信する第２の工程と、
前記第２の工程で前記第２の駐車料金計算要求を受信した前記アプリサーバ装置が、当該第２の駐車料金計算要求に係る前記駐車システム管理事業者の前記事業者サーバ装置を特定し、当該特定した事業者サーバ装置に前記第２の駐車料金計算要求に基づいた第３の駐車料金計算要求を送信する第３の工程と、
前記第３の工程で前記第３の駐車料金計算要求を受信した前記事業者サーバ装置が、当該第３の駐車料金計算要求に基づいて駐車料金の計算を行う第４の工程と、
前記統括管理サーバ装置が前記第４の工程で計算された前記駐車料金に応じた駐車料金の情報を含む第２の画面を前記端末装置に表示する第５の工程と、
前記端末装置の前記第２の画面上で、前記利用者が入力した支払い指示を基に、前記統括管理サーバ装置、前記アプリサーバ装置又は前記事業者サーバ装置が前記第４の工程で計算された駐車料金の決済処理を行う第６の工程と、
前記第６の工程で前記決済処理が成功すると、前記事業者サーバ装置が前記第３の駐車料金計算要求に係る前記駐車場の前記駐車場システムの出庫処理を行う第７の工程と、
を有する駐車場精算方法。
【請求項２】
前記アプリサーバ装置が前記第４の工程で計算された前記駐車料金を調整する第８の工程
をさらに有し、
前記第５の工程において、前記統括管理サーバ装置は前記第８の工程で調整された前記駐車料金に応じた駐車料金の情報を含む前記第２の画面を前記端末装置に表示する
請求項１に記載の駐車場精算方法。
【請求項３】
前記第２の画面は、前記駐車料金の精算に係る前記駐車場運営者及び前記駐車システム管理事業者の双方に応じた画面を有する、請求項１又は請求項２に記載の駐車場精算方法。
【請求項４】
前記アプリサーバ装置は、
前記駐車場識別情報と前記駐車システム管理事業者の識別情報との対応付けを行うメーカ共有部分と、
前記統括管理サーバ装置から受信した情報を前記事業者サーバ装置に対応したデータフォーマットに変換するメーカ固有部分と
を有し、
前記第３の工程は、
前記メーカ共有部分によって、前記第２工程で受信した前記第２の駐車料金計算要求に対応する前記駐車システム管理事業者の識別情報を取得し、
前記メーカ固有部分によって、前記第２の駐車料金計算要求に含まれる情報を、前記メーカ共有部分で取得した前記駐車システム管理事業者の識別情報に対応する駐車システム管理事業者に適合したデータフォーマットに変換し、
当該変換された情報を含む前記第３の駐車料金計算要求を、前記特定した事業者サーバ装置に送信する
請求項１〜３のいずれかに記載の駐車場精算方法。
【請求項５】
前記第５の工程は、前記事業者サーバ装置で計算した駐車料金を基に、前記アプリサーバ装置及び前記統括管理サーバ装置の少なくとも一方で調整した駐車場を前記端末装置に表示する
請求項１〜４のいずれかに記載の駐車場精算方法。
【請求項６】
駐車場を管理する駐車場運営者にそれぞれ対応する複数のアプリサーバ装置と、
前記駐車場で使用される駐車システムを管理し、当該駐車システムを適用した駐車場の駐車料金の精算処理を行う駐車システム管理事業者にそれぞれ対応する複数の事業者サーバ装置と、
前記駐車場の利用者によって使用される端末装置と、
前記駐車料金の精算に用いられる画面を前記端末装置に提供する統括管理サーバ装置と
、
を用いて行う駐車場精算方法において、前記統括管理サーバ装置で実行されるプログラムであって、
前記端末装置に表示された第１の画面を用いた前記利用者による前記端末装置の操作により精算指示が入力されると、前記利用者の車両を駐車した駐車場を識別する駐車場識別情報及び前記車両を駐車した車室を識別する車室識別情報又は車両識別情報を含む第１の駐車料金計算要求を前記端末装置から受信する第１の工程と、
前記第１の工程で受信した前記第１の駐車料金計算要求に係る前記駐車場を管理する前記駐車場運営者の前記アプリサーバ装置を特定し、当該特定したアプリサーバ装置に前記第１の駐車料金計算要求に基づいた第２の駐車料金計算要求を送信する第２の工程と、
前記第２の駐車料金計算要求に応じた前記アプリサーバ装置と前記事業者サーバ装置との間の処理に基づいて得られた駐車料金の情報を含む画面を前記端末装置に表示する第３の工程と、
前記端末装置の前記画面上で前記利用者が入力した支払い指示を基に行われた決済処理の結果を前記画面上に表示する第４の工程と
を前記統括管理サーバ装置に実行させるプログラム。
【請求項７】
駐車場を管理する駐車場運営者にそれぞれ対応する複数のアプリサーバ装置と、
前記駐車場で使用される駐車システムを管理し、当該駐車システムを適用した駐車場の駐車料金の精算処理を行う駐車システム管理事業者にそれぞれ対応する複数の事業者サーバ装置と、
前記駐車場の利用者によって使用される端末装置と、
通信を行う統括管理サーバ装置であって、
前記端末装置に表示された第１の画面を用いた前記利用者による前記端末装置の操作により精算指示が入力されると、前記利用者の車両を駐車した駐車場を識別する駐車場識別情報及び前記車両を駐車した車室を識別する車室識別情報又は車両識別情報を含む第１の駐車料金計算要求を前記端末装置から受信する第１の工程と、
前記第１の工程で受信した前記第１の駐車料金計算要求に係る前記駐車場を管理する前記駐車場運営者の前記アプリサーバ装置を特定し、当該特定したアプリサーバ装置に前記第１の駐車料金計算要求に基づいた第２の駐車料金計算要求を送信する第２の工程と、
前記第２の駐車料金計算要求に応じた前記アプリサーバ装置と前記事業者サーバ装置との間の処理に基づいて得られた駐車料金の情報を含む画面を前記端末装置に表示する第３の工程と、
前記端末装置の前記画面上で前記利用者が入力した支払い指示を基に行われた決済処理の結果を前記画面上に表示する第４の工程と
を実行する統括管理サーバ装置。
【請求項８】
請求項１〜請求項５のいずれかに記載の駐車場精算方法における前記端末装置としてコンピュータを機能させるためのプログラム。
【請求項９】
請求項１〜請求項５のいずれかに記載の駐車場精算方法における前記アプリサーバ装置としてコンピュータを機能させるためのプログラム。
【請求項１０】
請求項１〜請求項５のいずれかに記載の駐車場精算方法における前記統括管理サーバ装置としてコンピュータを機能させるためのプログラム。
【発明の詳細な説明】
【技術分野】
【０００１】
本発明は、駐車場の費用の精算を行う駐車場精算方法、プログラム及び統括管理サーバ装置に関するものである。
【背景技術】
【０００２】
スマートフォンのアプリから空き駐車場を検索し、利用後の駐車代を登録済みのクレジットカートから自動で精算するシステムがある。
駐車場管理システムは、駐車場に駐車している車両の出庫を制限するフラップ装置とネットワークを介して通信を行うことでフラップ装置を制御する管理サーバ装置と、車両の駐車料金の精算処理に必要な決済情報をサーバ装置に送信する端末装置とを備える。管理サーバ装置または端末装置は、車両の駐車料金の精算処理が終了した場合、フラップ装置を制御して、車両の出庫を可能にする。
【先行技術文献】
【特許文献】
【０００３】
【特許文献１】特開２０１９−１１４０７０号公報
【発明の概要】
【発明が解決しようとする課題】
【０００４】
上述した従来のシステムでは、駐車場のフラップ装置の制御を行う管理サーバ装置が端末装置と直接通信をして、駐車料金の精算処理を行うため、管理サーバ装置を運用する管理事業者毎にサービスを提供することになる。また、同じ管理事業者であっても駐車場によってフラップ式やゲート式など駐車システムが異なる場合もある。そのため、駐車場を管理する管理事業者毎でさらに駐車システム毎にサービスを利用することになり、不便であるという問題がある。
また、上述した従来のシステムでは、端末装置に表示される操作画面についての開示がない。
【０００５】
本発明はかかる事情に鑑みてなされたものであり、その目的は、駐車場の複数の管理事業者があり、さらに複数の駐車システムを適用する場合でも、一つのサービスで駐車料金の精算を端末装置で容易に行うことができる駐車場精算方法、プログラム及び統括管理サーバ装置を提供することにある。
【課題を解決するための手段】
【０００６】
上述した従来技術の問題点を解決し、上述した目的を達成するために、本発明の駐車場精算方法は、駐車場を管理する駐車場運営者にそれぞれ対応する複数のアプリサーバ装置と、前記駐車場で使用される駐車システムを管理し、当該駐車システムを適用した駐車場の駐車料金の精算処理を行う駐車システム管理事業者にそれぞれ対応する複数の事業者サーバ装置と、前記駐車場の利用者によって使用される端末装置と、前記駐車料金の精算に用いられる画面を前記端末装置に提供する統括管理サーバ装置と、を用いて行う駐車場精算方法であって、前記端末装置に表示された第１の画面を用いた前記利用者による前記端末装置の操作により精算指示が入力されると、前記利用者の車両を駐車した駐車場を識別する駐車場識別情報及び前記車両を駐車した車室を識別する車室識別情報又は車両識別情報を含む第１の駐車料金計算要求を前記統括管理サーバ装置が前記端末装置から受信する第１の工程と、前記統括管理サーバ装置が、前記第１の工程で受信した前記第１の駐車料金計算要求に係る前記駐車場を管理する前記駐車場運営者の前記アプリサーバ装置を特定し、当該特定したアプリサーバ装置に前記第１の駐車料金計算要求に基づいた第２の駐車料金計算要求を送信する第２の工程と、前記第２の工程で前記第２の駐車料金計算要求を受信した前記アプリサーバ装置が、当該第２の駐車料金計算要求に係る前記駐車システム管理事業者の前記事業者サーバ装置を特定し、当該特定した事業者サーバ装置に前記第２の駐車料金計算要求に基づいた第３の駐車料金計算要求を送信する第３の工程と、前記第３の工程で前記第３の駐車料金計算要求を受信した前記事業者サーバ装置が、当該第３の駐車料金計算要求に基づいて駐車料金の計算を行う第４の工程と、前記統括管理サーバ装置が前記第４の工程で計算された前記駐車料金に応じた駐車料金の情報を含む第２の画面を前記端末装置に表示する第５の工程と、前記端末装置の前記第２の画面上で、前記利用者が入力した支払い指示を基に、前記統括管理サーバ装置、前記アプリサーバ装置又は前記事業者サーバ装置が前記第４の工程で計算された駐車料金の決済処理を行う第６の工程と、前記第６の工程で前記決済処理が成功すると、前記事業者サーバ装置が前記第３の駐車料金計算要求に係る前記駐車場の前記駐車場システムの出庫処理を行う第７の工程と、を有する。
【０００７】
好適には、前記アプリサーバ装置が前記第４の工程で計算された前記駐車料金を調整する第８の工程をさらに有し、前記第５の工程において、前記統括管理サーバ装置は前記第８の工程で調整された前記駐車料金に応じた駐車料金の情報を含む前記第２の画面を前記端末装置に表示する。
【０００８】
好適には、前記第２の画面は、前記駐車料金の精算に係る前記駐車場運営者及び前記駐車システム管理事業者の双方に応じた画面を有する。
【０００９】
好適には、前記アプリサーバ装置は、前記駐車場識別情報と前記駐車システム管理事業者の識別情報との対応付けを行うメーカ共有部分と、前記統括管理サーバ装置から受信した情報を前記事業者サーバ装置に対応したデータフォーマットに変換するメーカ固有部分とを有し、前記第３の工程は、前記メーカ共有部分によって、前記第２工程で受信した前記第２の駐車料金計算要求に対応する前記駐車システム管理事業者の識別情報を取得し、前記メーカ固有部分によって、前記第２の駐車料金計算要求に含まれる情報を、前記メーカ共有部分で取得した前記駐車システム管理事業者の識別情報に対応する駐車システム管理事業者に適合したデータフォーマットに変換し、当該変換された情報を含む前記第３の前記駐車料金計算要求を、前記特定した事業者サーバ装置に送信する。
【００１０】
好適には、前記第５の工程は、前記事業者サーバで計算した駐車料金を基に、前記アプリサーバ装置及び前記統括管理サーバ装置の少なくとも一方で調整した駐車場を前記端末装置に表示する。
【００１１】
本発明のプログラムは、駐車場を管理する駐車場運営者にそれぞれ対応する複数のアプリサーバ装置と、前記駐車場で使用される駐車システムを管理し、当該駐車システムを適用した駐車場の駐車料金の精算処理を行う駐車システム管理事業者にそれぞれ対応する複数の事業者サーバ装置と、前記駐車場の利用者によって使用される端末装置と、前記駐車料金の精算に用いられる画面を前記端末装置に提供する統括管理サーバ装置と、を用いて行う駐車場精算方法において、前記統括管理サーバ装置で実行されるプログラムであって、前記端末装置に表示された第１の画面を用いた前記利用者による前記端末装置の操作により精算指示が入力されると、前記利用者の車両を駐車した駐車場を識別する駐車場識別情報及び前記車両を駐車した車室を識別する車室識別情報又は車両識別情報を含む第１の駐車料金計算要求を前記端末装置から受信する第１の工程と、前記第２の工程で受信した前記第１の駐車料金計算要求に係る前記駐車場を管理する前記駐車場運営者の前記アプリサーバ装置を特定し、当該特定したアプリサーバ装置に前記第１の駐車料金計算要求に基づいた第２の駐車料金計算要求を送信する第２の工程と、前記第２の駐車料金計算要求に応じた前記アプリサーバ装置と前記事業者サーバ装置との間の処理に基づいて得られた駐車料金の情報を含む画面を前記端末装置に表示する第３の工程と、前記端末装置の前記画面上で前記利用者が入力した支払い指示を基に行われた決済処理の結果を前記画面上に表示する第４の工程とを前記統括管理サーバ装置に実行させる。
【００１２】
本発明の統括管理サーバ装置は、駐車場を管理する駐車場運営者にそれぞれ対応する複数のアプリサーバ装置と、前記駐車場で使用される駐車システムを管理し、当該駐車システムを適用した駐車場の駐車料金の精算処理を行う駐車システム管理事業者にそれぞれ対応する複数の事業者サーバ装置と、前記駐車場の利用者によって使用される端末装置と、通信を行う統括管理サーバ装置であって、前記端末装置に表示された第１の画面を用いた前記利用者による前記端末装置の操作により精算指示が入力されると、前記利用者の車両を駐車した駐車場を識別する駐車場識別情報及び前記車両を駐車した車室を識別する車室識別情報又は車両識別情報を含む第１の駐車料金計算要求を前記端末装置から受信する第１の工程と、前記第２の工程で受信した前記第１の駐車料金計算要求に係る前記駐車場を管理する前記駐車場運営者の前記アプリサーバ装置を特定し、当該特定したアプリサーバ装置に前記第１の駐車料金計算要求に基づいた第２の駐車料金計算要求を送信する第２の工程と、前記第２の駐車料金計算要求に応じた前記アプリサーバ装置と前記事業者サーバ装置との間の処理に基づいて得られた駐車料金の情報を含む画面を前記端末装置に表示する第３の工程と、前記端末装置の前記画面上で前記利用者が入力した支払い指示を基に行われた決済処理の結果を前記画面上に表示する第４の工程とを実行する。
【００１３】
本発明のプログラムは、上記駐車場精算方法における前記端末装置としてコンピュータを機能させるためのプログラムである。
【００１４】
本発明のプログラムは、上記駐車場精算方法における前記アプリサーバ装置としてコンピュータを機能させるためのプログラムである。
【００１５】
本発明のプログラムは、上記統括管理サーバ装置としてコンピュータを機能させるためのプログラムである。
【発明の効果】
【００１６】
本発明によれば、駐車場の複数の管理事業者があり、複数の駐車システムを適用する場合でも、一つのサービスで駐車料金の精算を端末装置で容易に行うことができる駐車場精算方法、プログラム及び統括管理サーバ装置を提供することができる。
【図面の簡単な説明】
【００１７】
【図１】図１は、本発明の実施形態に係る駐車場精算システム１の全体構成図である。
【図２】図２は、図１に示す各構成要素の機能ブロック図である。
【図３】図３は、図２に示す端末装置２１に表示される第１の画面を説明するための図である。
【図４Ａ】図４Ａは、図２に示す端末装置２１に表示される第２の画面１４０−１を説明するための図である。
【図４Ｂ】図４Ｂは、図２に示す端末装置２１に表示される第２の画面１４０−１の他の例を説明するための図である。
【図５】図５は、図２に示す端末装置２１に表示される第２の画面１４０−２を説明するための図である。
【図６】図６は、図２に示す端末装置２１に表示される車室番号入力欄１４３を説明するための図である。
【図７】図７は、図２に示す端末装置２１に表示される支払い完了通知画面１４０−４を説明するための図である。
【図８】図８は、図２に示す端末装置２１に表示されるサービス券確認画面１６１を説明するための図である。
【図９】図９は、図２に示す端末装置２１に表示されるネット決済確認画面１８１を説明するための図である。
【図１０】図１０は、図２に示す端末装置２１に表示される利用履歴画面１９１を説明するための図である。
【図１１】図１１は、図２に示す端末装置２１に表示される利用履歴画面１９１を説明するための図である。
【図１２】図１２は、図２に示す端末装置２１に表示される利用履歴詳細画面２０１を説明するための図である。
【図１３】図１３は、データベースカラムの一例を示す図である。
【図１４】図１４は、図１に示す駐車場精算システム１の全体動作を説明するための図である。
【図１５】図１５は、図１に示す駐車場精算システム１の全体動作を説明するための図である。
【図１６】図１６は、図１に示す駐車場精算システム１の全体動作を説明するための図である。
【発明を実施するための形態】
【００１８】
以下、本発明の実施形態に関する駐車場精算システムについて説明する。
図１は、本発明の実施形態に係る駐車場精算システム１の全体構成図である。
駐車場精算システム１は、自動車等の車両のドライバである利用者が、移動先の所定の場所で時間貸しの駐車場を検索し、当該検索した駐車場に車両を移動して駐車し、出庫時に精算する際に用いられる。
【００１９】
図１に示すように、駐車場精算システム１は、例えば、複数の事業者サーバ装置１３、決済サーバ装置１５、複数の駐車システム１７、複数の端末装置２１、複数のアプリサーバ装置２３及び統括管理サーバ装置１９を有する。
事業者サーバ装置１３、決済サーバ装置１５、駐車システム１７、端末装置２１、アプリサーバ装置２３及び統括管理サーバ装置１９は、ネットワーク９を介して相互に通信可能である。
【００２０】
事業者サーバ装置１３は、例えば、駐車システム１７の入庫、出庫及び精算を管理する駐車場運営会社が運用している。
事業者サーバ装置１３は、駐車場で使用される駐車システム１７を管理し、当該駐車システム１７を適用した駐車場の駐車料金の精算処理を行う。
決済サーバ装置１５は、各種クレジットカード会社である。
端末装置２１は、利用者の例えば、スマートフォンであり、その他、タブレット端末、PDA (Personal Digital Assistant)、携帯型ゲーム機など、ネットワーク９を介した通信を行う機器である。
【００２１】
アプリサーバ装置２３は、駐車場を管理する駐車場運営者が使用する。
例えば、アプリサーバ装置２３及び統括管理サーバ装置１９は、事業者サーバ装置１３とは異なる会社が運用している。
統括管理サーバ装置１９は、複数の事業者サーバ装置１３及びアプリサーバ装置２３を管理する。
【００２２】
端末装置２１は複数である。また、決済サーバ装置１５は、単数複数いずれでもよい。駐車システム１７には、フラップによって出庫を規制するフラップ装置、フラップを用いないフラップレス装置、ゲートによって出庫を規制するゲート装置、ゲートを用いないゲートレス装置、ＥＴＣによって入出庫を管理するＥＴＣ型装置など、各種の方式がある。
【００２３】
［事業者サーバ装置１３］
事業者サーバ装置１３は、例えば、自らが管理する駐車場内に設置された駐車システム１７と通信を行い、１以上の駐車場の空き情報および予約情報を管理する。また、事業者サーバ装置１３は、駐車された自動車の駐車料金を管理するとともに、決済サーバ装置１５と通信をして駐車料金の決済処理を行ってもよい。
【００２４】
図２は、図１に示す各構成要素の機能ブロック図である。
図２に示すように、事業者サーバ装置１３は、例えば、通信部５１、メモリ５３及び処理部５５を有する。
事業者サーバ装置１３の処理部５５は、駐車システム１７から受信した入庫通知に含まれる駐車場ＩＤ及び車室ＩＤと、入庫時刻情報とを関連付けて入庫情報としてメモリ５３に記録する。当該入庫時刻情報は、駐車システム１７のタイマで生成して入庫通知に含まれたものを用いてもよいし、事業者サーバ装置１３のタイマを用いて入庫通知の受信時刻を基に生成してもよい。
【００２５】
処理部５５は、統括管理サーバ装置１９から受信した第１の駐車料金計算要求に含まれる駐車場ＩＤと車室ＩＤと、メモリ５３に記録された入庫時刻情報とを基に、当該車両の駐車料金を計算する。
処理部５５は、上記計算した駐車料金情報を含む駐車料金通知を統括管理サーバ装置１９に送信する。
【００２６】
処理部５５は、統括管理サーバ装置１９から通信部５１が受信した支払い指示を基に、指定された決済先の決済サーバ装置１５と通信をして決済処理を行ってもよい。
また、処理部５５によって決済処理を行った場合、処理部５５は、決済処理が終了すると、決済結果を示す決済完了通知を統括管理サーバ装置１９を介して端末装置２１に送信する。
また、処理部５５は、決済に関係する利用者の車両が駐車された駐車場の車室のフラップ装置１７１にフラップ下降指示を出力する。
【００２７】
［駐車システム１７］
駐車システム１７の一例としてフラップ装置１７１について説明する。
フラップ装置１７１は、駐車場内において、各駐車スペース（車室）毎に設置さている。フラップ装置１７１は、自動車が駐車された状態で自動車の移動を制限するためのフラップ板を有する。駐車場は複数の自動車が駐車可能なスペースがあり、駐車場には、複数のフラップ装置１７１が設けられている。
【００２８】
図２に示すように、フラップ装置１７１は、例えば、フラップ４１、車両検出センサ４３、通信部４５、及び処理部４７を有する。
処理部４７は、事業者サーバ装置１３から通信部４５が受信したフラップ下降指示を基に、フラップ４１を下降させ、出庫可能にする。
【００２９】
駐車システム１７の他の一例としてゲートレス装置１７２について説明する。
ゲートレス装置１７２は、駐車場の出入口にゲートは設けられておらず、自動車のナンバーをカメラで読み取って入出庫を管理する装置である。
【００３０】
図２に示すように、ゲートレス装置１７２は、例えば、ナンバー読み取り用のカメラ４２、通信部４４、及び処理部４６を有する。処理部４６は、事業者サーバ装置１３から通信部４４が受信した決済完了情報を基に、出庫可能表示を駐車場の出口の表示装置に表示させる。
【００３１】
駐車システム１７には、上記のフラップ装置１７１及びゲートレス装置１７２のほか、駐車場出入口のゲートの開閉で入出庫を管理するゲート装置、フラップを用いないフラップレス装置、ＥＴＣによって入出庫を管理するＥＴＣ型など、多様な装置がある。
【００３２】
［端末装置２１］
前述したように、端末装置２１は、利用者が使用するスマートフォン等の通信装置である。
端末装置２１は、図２に示すように、例えば、操作部７１、ディスプレイ７３、通信部７５、メモリ７７及び処理部７９を有する。
【００３３】
端末装置２１には、駐車場提供・精算サービス専用のアプリケーションプログラム（以下、専用アプリと称する。）がインストールされており、その専用アプリを実行することにより、後述する機能が実現される。
【００３４】
なお、端末装置２１に専用アプリをインストールするのではなく、ウェブサーバにアクセスし、当該ウェブサーバとの間で所定の情報をやりとりすることが可能なブラウザソフトウエアをインストールし、当該ブラウザソフトウエアを介して事業者サーバ装置１３と通信することで、専用アプリと同様の機能を実現することもできる。
以下に示す端末装置２１の機能は、例えば、上述した専用アプリとアプリサーバ装置２３とが通信しながら協働して実現される。
【００３５】
端末装置２１の処理部７９は、専用アプリの起動中のトップ画面として、図３に示す第１の画面１２１をディスプレイ７３に表示する。
第１の画面１２１は、例えば、地図表示領域１３１と、端末装置２１の位置の周辺の駐車場を地図上で表示するための第１の指示入力画像１３３と、道路ナビゲーション動作に切り換え指示を入力するための第２の指示入力画像１３５と、精算指示を入力するための第３の指示入力画像１３７とを有する。
【００３６】
地図表示領域１３１には、駐車場の場所と、各駐車場の空車／満車の情報とが表示される。空車／満車の情報は各駐車システム１７で検知され、事業者サーバ装置１３から統括管理サーバ装置１９を介してアプリサーバ装置２３へ送られる。アプリサーバ装置２３はこの情報を基に端末装置２１の専用アプリに各駐車場の空車／満車の情報を送り、専用アプリによって地図表示領域１３１に表示される。
【００３７】
処理部７９は、第１の画面１２１上で第３の指示入力画像１３７が指定操作されると、図４Ａに示す第２の画面１４０−１をディスプレイ７３に表示する。
図４Ａに示す第２の画面１４０−１には、利用者の車両を駐車した駐車場の地図情報表示欄１４１、その駐車場名を入力するための駐車場名入力欄１４２、車両を駐車した車室番号を入力するための車室番号入力欄１４３、サービス券情報を表示するためのサービス券表示欄１４４、料金確認指示入力欄１４５が表示されている。
【００３８】
処理部７９は、図４Ｂに示す他の第２の画面１４０−１を表示してもよい。図４Ｂに示す他の第２の画面１４０−１には、図４Ａに示す車室番号入力欄１４３の代わりに自動車のナンバーの画像が示される。予め専用アプリに利用する自動車のナンバーの情報を登録しておき、駐車場に設置されたカメラで取り込んだ自動車のナンバーの情報のうち、アプリに登録されたナンバーと合致又は近似するナンバーの画像を表示する。利用者は、候補として表示されたナンバーの画像の中から自車のナンバーを選択する。
【００３９】
処理部７９は、図４Ａ又は図４Ｂに示す第２の画面（支払い情報入力画面）１４０−１の駐車場名入力欄１４２、車室番号入力欄１４３及びサービス券表示欄１４４のそれぞれに対応する情報が入力（指定）された後に、料金確認指示入力欄１４５が指定されると、入力された情報に対応する駐車場ＩＤ、指定駐車ＩＤ（車室ＩＤ又は車両のナンバ等の車両識別情報）、サービス券情報を含む第１の駐車料金計算要求を通信部７５を介して統括管理サーバ装置１９に送信する。
【００４０】
処理部７９は、通信部７５が統括管理サーバ装置１９から駐車料金通知を受信すると、図５に示す第２の画面（料金表示画面）１４０−２をディスプレイ７３に表示する。
第２の画面１４０−２には、利用者の車両を駐車した駐車場の駐車システムの情報表示欄１５１、その駐車場名の駐車場名表示欄１５２、車両を駐車した車室番号を表示する車室番号表示欄１５３、サービス券情報を表示するためのサービス券表示欄１５４、支払金額表示欄１５５、入出庫時刻表示欄１５６、決済方法入力欄１５７、料金再確認指示入力欄１５８、支払指示入力欄１５９が表示されている。駐車システムの情報表示欄１５１には、車両を駐車した駐車場に適用される駐車システムに対応した画像が表示される。例えば、フラップ式であればフラップ式を示す画像やテキストが表示され、ゲートレス式であれば例えばゲートの無い出口の画像やテキストが表示される。
処理部７９は、アプリサーバ装置２３から受信した駐車料金通知が示す駐車料金を支払金額表示欄１５５に表示する。
【００４１】
処理部７９は、決済方法入力欄１５７に決済方法が入力されると、当該入力された決済方法情報を含む支払い指示を、通信部７５を介して統括管理サーバ装置１９に送信する。
また、処理部７９は、サービス券表示欄１５４で使用するサービス券が利用者によって指定された場合には、サービス券表示欄１５４に指定されたサービス券情報を表示すると共に、統括管理サーバ装置１９から受信した駐車料金通知が示す駐車料金を支払額として支払金額表示欄１５５に表示する。
なお、駐車料金から、指定されたサービス券の金額を差し引いた額を支払い金額として支払金額表示欄１５５に表示するようにしてもよい。
【００４２】
処理部７９は、第２の画面１４０−２上で支払指示入力欄１５９が指定されると、図６に示す確認画面１４０−３をディスプレイ７３に表示し、利用者の確認操作（「ｏｋ」を指定操作）を経て、第２の画面１４０−２で指定されたサービス券情報と決済方法情報とを含む支払い指示を、通信部７５を介して統括管理サーバ装置１９に送信する。
【００４３】
端末装置２１の処理部７９は、適切に決済処理が完了したことを示す決済結果を示す決済完了通知を統括管理サーバ装置１９から通信部７５が受信すると、図７に示す支払い完了通知画面１４０−４をディスプレイ７３に表示する。支払い完了通知画面１４０−４には、駐車場ごとに適用される駐車システムに対応した画像やテキストが第３の画面として表示されてもよい。例えば、フラップ式の場合には、支払い完了によってフラップが下がって解除された様子を示す画像やテキストを表示するようにしてもよい。
【００４４】
処理部７９は、図４Ａ又は図４Ｂに示す第２の画面１４０−１のサービス券表示欄１４４、又は図５に示す第２の画面１４０−２のサービス券表示欄１５４が利用者によって指定操作されると、図８に示すサービス券確認画面１６１をディスプレイ７３に表示する。
【００４５】
図８に示すように、サービス券確認画面１６１は、例えば、サービス券コード入力欄１６３、登録されているサービス券一覧を示すサービス券一覧表示欄１６５、ＱＲコード（登録商標）取得指示入力欄１６７、サービス券使用指示入力欄１６９を有する。
【００４６】
利用者は、サービス券確認画面１６１上でサービス券一覧表示欄１６５に表示されたサービス券のうち使用するサービス券を指定操作した後に、サービス券使用指示入力欄１６９を指定すると、図４に示すサービス券表示欄１４４及び図５に示すサービス券表示欄１５４に使用するサービス券の金額等が表示される。
また、第２の画面１４０−２で支払指示入力欄１５９が指定操作されると、当該サービス券の金額等を含む支払い指示が端末装置２１から統括管理サーバ装置１９に送信される。
【００４７】
処理部７９は、図５に示す第２の画面１４０−２上で決済方法入力欄１５７が指定操作されると図９に示すネット決済確認画面１８１をディスプレイ７３に表示する。
利用者は、ネット決済確認画面１８１上で使用するクレジットカード等の指定操作を行う。
【００４８】
処理部７９は、例えば、メニュー画面（図示せず）において利用履歴表示が入力指示さえると、図１０に示す利用履歴画面１９１をディスプレイ７３に表示する。
利用履歴画面１９１には、利用者が過去に利用した駐車場名と決済方法が表示されている。なお、利用履歴がない場合は、利用履歴画面１９１は図１１に示すような表示となる。
【００４９】
利用者が、図１０に示す利用履歴画面１９１で過去に利用した駐車場名に対応する箇所を指定操作すると、処理部７９は、図１２に示すようにその詳細を示す利用履歴詳細画面２０１をディスプレイ７３に表示する。
【００５０】
［アプリサーバ装置２３］
図２に示すように、アプリサーバ装置２３は、例えば、通信部６１、メモリ６３及び処理部６５を有する。
アプリサーバ装置２３の処理部６５は、統括管理サーバ装置１９と通信を行い、統括管理サーバ装置１９又は事業者サーバ装置１３に精算処理等を行わせる。
【００５１】
アプリサーバ装置２３は、統括管理サーバ装置１９から第１の駐車料金計算要求を受信し、当該第１の駐車料金計算要求に対応する事業者サーバ装置１３を特定する。そして、アプリサーバ装置２３は、当該第１の駐車料金計算要求に応じた第２の駐車料金計算要求を、当該特定した事業者サーバ装置１３に送信する。
駐車料金計算要求には、駐車場ＩＤと駐車場運営会社の識別情報（事業者ＩＤ）及びその駐車場で適用される駐車システムの識別情報（駐車システムＩＤ）、車両を駐車した車室を識別する車室識別情報又は車両識別情報等が含まれる。
アプリサーバ装置２３は、駐車場ＩＤと事業者ＩＤ及び駐車システムＩＤとの対応付けはテーブルデータとして例えばメモリ６３に格納される。
【００５２】
アプリサーバ装置２３は、駐車場識別情報と駐車システム管理事業者の識別情報との対応付けを行うメーカ共有部分６７と、統括管理サーバ装置１９から受信した情報を事業者サーバ装置１３に対応したデータフォーマットに変換するメーカ固有部分６９とを有する。
メーカ共有部分６７は、統括管理サーバ装置１９から受信した第２の駐車料金計算要求に対応する駐車システム管理事業者の識別情報を取得する。
メーカ固有部分６９は、当該第２の駐車料金計算要求に含まれる情報を、メーカ共有部分６７で取得した駐車システム管理事業者の識別情報に対応する駐車システム管理事業者に適合したデータフォーマットに変換する。
アプリサーバ装置２３は、当該変換された情報を含む第３の前記駐車料金計算要求を、前記特定した事業者サーバ装置１３に送信する。
【００５３】
［統括管理サーバ装置１９］
図２に示すように、統括管理サーバ装置１９は、通信部８１、メモリ８３、処理部８５、メーカ共有部分６７及びメーカ固有部分６９を有する。
統括管理サーバ装置１９の処理部８５は、通信部８１を介して通信を行いながら複数の事業者サーバ装置１３及びアプリサーバ装置２３を管理する処理を行う。
【００５４】
図１３は、データベースカラムの一例を示す図である。本実施形態では、アプリサーバ装置２３と統括管理サーバ装置１９との間、及び統括管理サーバ装置１９と事業者サーバ装置１３との間で通信を行う際のデータベースカラムとして、図１３に示すような型（データ形式）及びカラム名が用いられる。
【００５５】
これらのうち、駐車システムメーカ名（company_name）が駐車システムＩＤに対応している。駐車システムメーカ名（company_name）は、例えば、端末装置２１の位置情報やユーザが専用アプリによって選択した駐車場の情報に基づいてアプリサーバ装置２３の処理部６５によって格納されてもよいし、事業者サーバ装置１３によって駐車場ＩＤと対応付けして格納されてもよい。事業者ＩＤ（operetor_id）は事業者識別情報である。
【００５６】
図５に示す第２の画面１４０−２の駐車システムの情報表示欄１５１や図７に示す支払い完了通知画面１４０−４に示される駐車システムごとに対応した画像（第３の画像）は、駐車システムメーカ名（company_name）に格納される駐車システムＩＤに基づき切り換えて表示される。また、第２の画面１４０−２や支払い完了通知画面１４０−４において、事業者ＩＤ（operetor_id）及び駐車システムＩＤの双方に応じた画面を表示するようにしてもよい。
【００５７】
［動作例］
以下、駐車場精算システム１の全体動作（駐車場精算方法）を説明する。
図１４〜図１６は、図１に示す駐車場精算システム１の全体動作を説明するための図である。なお、ここでは駐車システム１７としてフラップ装置１７１を適用した場合の動作を例として説明する。
ステップＳＴ１：
駐車場内のそれぞれの車室に設けられたフラップ装置１７１の車両検出センサ４３が車両が当該車室に入庫したことを検出すると、ステップＳＴ２に進む。
【００５８】
ステップＳＴ２：
フラップ装置１７１の処理部４７は、フラップ４１を上げて入庫した車両の出庫を制限する。
【００５９】
ステップＳＴ３：
処理部４７は、駐車システムＩＤ、駐車場ＩＤ及び車室ＩＤを含む入庫通知を事業者サーバ装置１３に送信する。
【００６０】
ステップＳＴ４：
事業者サーバ装置１３の処理部５５は、ステップＳＴ３で受信した入庫通知に含まれる駐車システムＩＤ、駐車場ＩＤ及び車室ＩＤと、入庫時刻情報とを関連付けて入庫情報としてメモリ５３に記録する。
【００６１】
ステップＳＴ５：
端末装置２１の処理部７９は、専用アプリの起動中のトップ画面として、図３に示す第１の画面１２１をディスプレイ７３に表示する。第１の画面１２１は、端末装置２１で専用アプリを起動した際、端末装置２１と統括管理サーバ装置１９との通信による接続が完了することで、アプリサーバ装置２３から端末装置２１に対して行われる指示によって表示される。
統括管理サーバ装置１９の処理部６５及び端末装置２１の処理部７９は、第１の画面１２１上で第３の指示入力画像１３７が指定操作されると、ステップＳＴ６に進む。
【００６２】
ステップＳＴ６：
端末装置２１の処理部７９は、図４Ａ又は図４Ｂに示す第２の画面１４０−１をディスプレイ７３に表示する。
そして、利用者が第２の画面１４０−１上で駐車場名入力欄１４２に駐車場名を入力し、車室番号入力欄１４３に車両を駐車した車室番号を入力する。
【００６３】
ステップＳＴ７：
端末装置２１の処理部７９は、第２の画面１４０−１上で利用者が料金確認指示入力欄１４５を指定すると、入力された駐車場ＩＤと車室ＩＤ等を含む第１の駐車料金計算要求を、通信部７５を介して統括管理サーバ装置１９に送信する。
第１の駐車料金計算要求には、利用者の車両を駐車した駐車場を識別する駐車場識別情報（駐車場ＩＤ）、車両を駐車した車室を識別する車室識別情報（車室ＩＤ）又は車両識別情報（車両ナンバー）等を含む。また、駐車システム管理会社の事業者ＩＤが含まれていもよい。
【００６４】
ステップＳＴ８：
統括管理サーバ装置１９の処理部８５は、端末装置２１から送信された第１の駐車料金計算要求に含まれる駐車場ＩＤに基づき、駐車場を運営する駐車場運営会社を特定する。当該特定した駐車場運営会社のアプリサーバ装置２３に第２の駐車料金計算要求を送信する。第２の駐車料金計算要求は、第１の駐車料金計算要求に含まれる情報を用いてい生成される。
このとき、駐車場ＩＤと、駐車場運営会社のアプリサーバ装置２３との対応するテーブルデータが使用される。
【００６５】
ステップＳＴ９：
アプリサーバ装置２３の処理部６５は、ステップＳＴ８で受信した第２の駐車料金計算要求に含まれる駐車場ＩＤを基に、当該駐車場で使用され駐車システムを特定し、当該駐車システムに対応する事業者サーバ装置１３を特定する。
このとき、駐車場ＩＤ、駐車システム、事業者サーバ装置１３との対応を示すテーブルが用いられる。
【００６６】
ステップＳＴ１０：
アプリサーバ装置２３のメーカ共有部分６７は、統括管理サーバ装置１９から受信した第２の駐車料金計算要求に対応する駐車システム管理事業者の識別情報を取得する。
【００６７】
ステップＳＴ１１：
アプリサーバ装置２３のメーカ固有部分６９は、当該第２の駐車料金計算要求に含まれる情報を、メーカ共有部分６７で取得した駐車システム管理事業者の識別情報に対応する駐車システム管理事業者に適合したデータフォーマットに変換する。
アプリサーバ装置２３は、当該変換された情報を含む第３の駐車料金計算要求を、前記特定した事業者サーバ装置１３に送信する。
【００６８】
ステップＳＴ１２：
事業者サーバ装置１３の処理部５５は、ステップＳＴ１１で通信部５１が受信した第３の駐車料金計算要求に含まれる駐車場ＩＤと車室ＩＤと、ステップＳＴ４でメモリ５３に記録した入庫時刻情報とを基に、当該車両の駐車料金を計算する。このとき、事業者サーバ装置１３は、必要に応じて駐車料金の調整を行う。
【００６９】
ステップＳＴ１３：
事業者サーバ装置１３の処理部５５は、ステップＳＴ１２で計算した駐車料金情報を含む駐車料金通知をアプリサーバ装置２３に送信する。
【００７０】
ステップＳＴ１４：
アプリサーバ装置２３は、ステップＳＴ１３で受信した駐車料金情報に必要に応じて金額調整をし、調整後の駐車料金情報を統括管理サーバ装置１９に送信する。
【００７１】
ステップＳＴ１５：
統括管理サーバ装置１９は、ステップＳＴ１４で受信した駐車料金情報に必要に応じて金額調整をし、調整後の駐車料金情報を端末装置２１に送信する。
【００７２】
ステップＳＴ１６：
端末装置２１の処理部７９は、ステップＳＴ１５で通信部７５が統括管理サーバ装置１９から駐車料金通知を受信すると、図５に示す第２の画面１４０−２をディスプレイ７３に表示する。端末装置２１のディスプレイ７３には、駐車料金の情報とともに駐車システムに対応した画像（第２の画面１４０−２）が表示される。第２の画面１４０−２は、事業者ＩＤ及び駐車システムＩＤの双方に応じた画面を有していてもよい。
【００７３】
ステップＳＴ１７：
利用者の操作によって、決済方法入力欄１５７に決済方法が入力される。
また、処理部７９は、サービス券表示欄１５４で使用するサービス券が利用者によって指定された場合には、サービス券表示欄１５４に指定されたサービス券情報を表示すると共に、統括管理サーバ装置１９から受信した駐車料金通知が示す駐車料金から、指定されたサービス券の金額を差し引いた額を支払い金額として支払金額表示欄１５５に表示する。
処理部７９は、第２の画面１４０−２上で支払指示入力欄１５９が指定されると、ステップＳＴ１８に進む。
【００７４】
ステップＳＴ１８：
端末装置２１の処理部７９は、第２の画面１４０−２で指定されたサービス券情報と決済方法情報とを含む支払い指示を、通信部７５を介して統括管理サーバ装置１９に送信する。
【００７５】
ステップＳＴ１９：
統括管理サーバ装置１９の処理部８５は、ステップＳＴ１８で通信部８１がアプリサーバ装置２３から受信した支払い指示を基に、指定された決済先の決済サーバ装置１５と通信をして決済処理を行う。
なお、決済処理は、端末装置２１から支払い指示を受信した統括管理サーバ装置１９が事業者サーバ装置１３又はアプリサーバ装置２３へ支払い指示を転送し、事業者サーバ装置１３又はアプリサーバ装置２３によって行うようにしてもよい。
【００７６】
ステップＳＴ２０：
統括管理サーバ装置１９の処理部８５は、ステップＳＴ１９の決済処理で決済が成功したか否かの判断を行う。
【００７７】
ステップＳＴ２１：
統括管理サーバ装置１９の処理部８５は、ステップＳＴ１９で決済処理が成功したと判断すると、決済結果を示す決済完了通知を統括管理サーバ装置１９から端末装置２１に送信するとともに、事業者サーバ装置１３に送信する。端末装置２１は、決済完了通知を受信すると、その旨をディスプレイ７３に表示する。
【００７８】
ステップＳＴ２２：
事業者サーバ装置１３の処理部５５は、決済に関係する利用者の車両が駐車された駐車場の車室のフラップ装置１７１にフラップ下降指示を出力する。
【００７９】
ステップＳＴ２３：
フラップ装置１７１の処理部４７は、ステップＳＴ１５で通信部４５が受信したフラップ下降指示を基に、フラップ４１を下降させ、出庫可能にする。
【００８０】
ステップＳＴ２４：
また、フラップ装置１７１に、フラップが完全に降下したか否かを検出するセンサ等の検出手段を向け、完全に降下したことを検出すると、フラップ降下完了通知を統括管理サーバ装置１９から端末装置２１に送信してもよい。
【００８１】
ステップＳＴ２５：
この際、端末装置２１のディスプレイ７３には、駐車システムＩＤに対応した出庫可能を知らせる画像（図７に示す支払い完了通知画面１４０−４：第３の画面）を表示してもよい。支払い完了通知画面１４０−４は、精算に係る駐車システム管理事業者及び駐車場運営者の双方に応じた画面を有していてもよい。
【００８２】
ステップＳＴ２６：
ステップＳＴ２０において決済処理が正常に行われなかった場合にはステップＳＴ２０の判断でＮｏとなり、統括管理サーバ装置１９の処理部８５は、端末装置２１のディスプレイ７３にエラー画面（第４の画面）を表示する処理を行う。この際、駐車システムＩＤに対応したエラー画面（エラーメッセージを含む）を表示する。例えば、フラップ式の場合、エラー画面にフラップが解除されていない画像とともに、決済エラーのためフラップは解除されていない旨のエラーメッセージを表示することが挙げられる。エラー画面（第４の画面）は、精算に係る駐車システム管理事業者及び駐車場運営者の双方の双方に応じた画面を有していてもよい。
【００８３】
上記説明した全体動作のうち、アプリサーバ装置２３で行われる動作はアプリサーバ装置２３としてコンピュータを機能させるためのプログラムによって実現可能である。また、端末装置２１で行われる動作は端末装置２１としてコンピュータを機能させるためのプログラムとして実現可能である。また、統括管理サーバ装置１９で行われる動作は統括管理サーバ装置１９としてコンピュータを機能させるためのプログラムとして実現可能である。
【００８４】
以上説明したように、駐車場精算システム１によれば、事業者サーバ装置１３とアプリサーバ装置２３とが個別に設けられ、統括管理サーバ装置１９で管理しているため、統括管理サーバ装置１９が複数の事業者サーバ装置１３と通信を行い、複数の駐車場運営会社の駐車場精算処理を一括して行うことができる。また、それぞれの駐車場運営会社で複数の駐車システムを採用している場合でも統括管理サーバ装置１９によって各駐車システムに対応した情報の送受を行うことから、駐車場運営会社の相違や駐車システムの相違にも柔軟に対応することが可能となる。そのため、利用者は、駐車場運営会社のアプリサービスを利用することで、複数の駐車場運営会社の駐車場の精算処理を一つのアプリで行うことができ、便利である。
【００８５】
また、駐車場精算システム１によれば、駐車場精算処理に伴う上述した様々な画面を端末装置２１のディスプレイ７３に表示することから、駐車場精算処理をスムーズに行うことができる。
【００８６】
本発明は上述した実施形態には限定されない。
すなわち、当業者は、本発明の技術的範囲又はその均等の範囲内において、上述した実施形態の構成要素に関し、様々な変更、コンビネーション、サブコンビネーション、並びに代替を行ってもよい。
【００８７】
上述した実施形態では、入庫時には端末装置２１の専用アプリによる処理はされないが、当該専用アプリが何等かの入庫処理及び出庫処理をするようにしてもよい。
【００８８】
また、上述した実施形態では、決済時に、統括管理サーバ装置１９や事業者サーバ装置１３を介して決済サーバ装置１５と決済処理をする場合を例示したが、端末装置２１が決済サーバ装置１５に直接決済処理をするようにしてもよい。
【００８９】
また、上述した実施形態では、車室識別情報を用いた場合を例示したが、車両のナンバ等の車両識別情報を用いてもよい。この場合には、駐車場に設置されたカメラによって車両の車両識別情報を読み取って駐車料金の精算処理に用いる。
【００９０】
また、上述した実施形態では、利用者が図４に示す第２の画面１４０−１の駐車場名入力欄１４２及び車室番号入力欄１４３で駐車場情報及び車室番号の入力をする場合例示したが、端末装置２１の位置検出システムあるいは駐車システム１７との通信等により、これらの情報の少なくとも一つを自動的に設定、あるいは選択できるようにしてもよい。
また、事業者サーバ装置１３が車室候補を提供するようにしてもよい。
【００９１】
また、端末装置２１とアプリサーバ装置２３との通信の一部を、端末装置２１が事業者サーバ装置１３と直接するようにしてもよい。
【００９２】
また、ステップＳＴ９〜ＳＴ１１の処理の全部又は一部を統括管理サーバ装置１９で実行するようにしてもよい。
また、事業者サーバ装置１３とアプリサーバ装置２３との間の通信の全て、あるいは上述した通信のうち一部を統括管理サーバ装置１９を介して行うようにしてもよい。
【産業上の利用可能性】
【００９３】
本発明は駐車場管理システムに適用可能である。
【符号の説明】
【００９４】
１…駐車場精算システム
９…ネットワーク
１３…事業者サーバ装置
５１…通信部
５３…メモリ
５５…処理部
１５…決済サーバ装置
１７…駐車システム
４１…フラップ
４３…車両検出センサ
４５…通信部
４７…処理部
１７１…フラップ装置
１７２…ゲートレス装置
４２…カメラ
４４…通信部
４６…処理部
１９…統括管理サーバ装置
８１…通信部
８３…メモリ
８５…処理部
２１…端末装置
７１…操作部
７３…ディスプレイ
７５…通信部
７７…メモリ
７９…処理部
２３…アプリサーバ装置
６１…通信部
６３…メモリ
６５…処理部
６７…メーカ共有部分
６９…メーカ固有部分
１２１…第１の画面
１３１…地図表示領域
１３３…第１の指示入力画像
１３５…第２の指示入力画像
１３７…第３の指示入力画像
１４０−１…第２の画面（支払い情報入力画面）
１４１…地図情報表示欄
１４２…駐車場名入力欄
１４３…車室番号入力欄
１４４…サービス券表示欄
１４５…支払い完了通知画面
１４０−２…第２の画面（料金表示画面）
１５１…地図情報表示欄
１５２…駐車場名表示欄
１５３…車室番号表示欄
１５４…サービス券表示欄
１５５…支払金額表示欄
１５６…入出庫時刻表示欄
１５７…決済方法入力欄
１５８…料金再確認指示入力欄
１５９…支払指示入力欄
１４０−３…確認画面
１４０−４…完了通知画面
１６１…サービス券確認画面
１６３…サービス券コード入力欄
１６５…サービス券一覧表示欄
１６７…ＱＲコード（登録商標）取得指示入力欄
１６９…サービス券使用指示入力欄
１８１…ネット決済確認画面
１９１…利用履歴画面
２０１…利用履歴詳細画面
【要約】
【課題】  駐車場の複数の管理事業者がある場合でも、一つのサービスで駐車料金の精算を端末装置で容易に行うことができる駐車場精算システムを提供する。
【解決手段】  端末装置２１で、利用者が精算指示を出すと、駐車場ＩＤ及び車室ＩＤがアプリサーバ装置２３を介して駐車システム識別情報に対応した事業者サーバ装置１３に送信され、駐車料金が計算され、事業者識別情報及び駐車システム識別情報に対応した画像が端末装置２１に表示される。端末装置２１から支払い指示がされると、アプリサーバ装置２３又は管理サーバ装置が決済処理を行い、その結果を端末装置２１に送信する。そして、フラップ板が下ろされる。
【選択図】図１４【図１】
0006931867.tif 000002
【図２】
0006931867.tif 000003
【図３】
0006931867.tif 000004
【図４Ａ】
0006931867.tif 000005
【図４Ｂ】
0006931867.tif 000006
【図５】
0006931867.tif 000007
【図６】
0006931867.tif 000008
【図７】
0006931867.tif 000009
【図８】
0006931867.tif 000010
【図９】
0006931867.tif 000011
【図１０】
0006931867.tif 000012
【図１１】
0006931867.tif 000013
【図１２】
0006931867.tif 000014
【図１３】
0006931867.tif 000015
【図１４】
0006931867.tif 000016
【図１５】
0006931867.tif 000017
【図１６】
0006931867.tif 000018